(57)【要約】【課題】オゾン生成器で生成したオゾンを洗濯機内に送って水道水をオゾン水に変換し、洗濯槽に雑菌の付着しないようにした浄化・除菌装置を提供する。【解決手段】回転する内ドラム１の外側に配置された外ドラム３の周面に小孔４を列穿し、該小孔４を囲繞して外ドラム３の外側面に環状管５を配設する。環状管５に、オゾン生成器２０で生成されたオゾンを送り込み、内ドラム１内に流入された水道水１１が、環状管５より小孔４を通って外ドラム３内面に入り込んだオゾンと混合することでオゾン水に変換される。【選択図】　　　　　　図１
2004049826.tif 000002
【特許請求の範囲】
【請求項１】
回転する内ドラムの外側に配置された外ドラムの周面に小孔を列穿するとともに該小孔を囲繞して外ドラムの外側面に環状管を配設し、該環状管に、オゾン生成器で生成されたオゾンをオゾン通路管を介して送り込み、ドラム内に注がれた水道水が、環状管より小孔を通って外ドラム内面に入り込んだオゾンと混合することでオゾン水に変換されることを特徴とする洗濯機の浄化・除菌装置。
【請求項２】
回転する内ドラムの外側に配置された外ドラムの側面又は上面に、オゾン生成器で生成されたオゾンを送り込むオゾン通路管を接続若しくは臨ませてオゾンを外ドラム内に送り込み、ドラム内に注がれた水道水がオゾンと混合することでオゾン水に変換されることを特徴とする洗濯機の浄化・除菌装置。
【発明の詳細な説明】
【０００１】
【発明の属する技術分野】
本発明は、２重の内外ドラムからなる洗濯機の浄化・除菌装置に関する。
【０００２】
【従来の技術】
洗濯槽の内ドラムの外面には汚れや多くの雑菌が付着して頗る非衛生であり、これら雑菌等の処理対策として従来は、除菌成分である次亜塩素酸や塩素系漂白剤を洗濯槽内に投入するもの、洗濯槽の穴を段違い構造として脱水時の水勢でかびの原因となる洗剤カスを落とす技術、超音波振動を利用して真空の泡で汚れを除去しようとするもの、或いは電解水で汚れを分解除去する技術など多数の提案がなされている。
【０００３】
上記従来技術のうち、除菌剤などの薬剤を投入するものは残留するおそれがあるのに加えて汚れの除去が十分ではなく、洗濯槽の穴を段違いにする技術は洗濯槽そのものゝ構造を変える必要があり、超音波振動や電解水によって汚れを分解除去するものは洗剤の量を可及的抑えることができることを目的としているが雑菌の除去、洗濯槽の洗浄、水質の改善等の解決には未だ十分な解決策とはなり得ないのが現状である。
【０００４】
本発明はこのような従来の有する問題点に鑑みてなされたもので、その目的とするところは、洗濯槽内にオゾンを送り込むことで洗濯水をオゾン水に変え、オゾンの有する除菌、殺菌力によって内外ドラムに雑菌の生ずる余地をなからしめ、洗濯物の汚れの除去、臭いの未然防止、排水管の管内清掃など多岐にわたる問題解決に資することを意図している。
【０００５】
【課題を解決するための手段】
そのために本発明は、回転する内ドラム１の外側に配置された外ドラム３の周面に小孔４を列穿するとともに、該小孔４を囲繞して外ドラム３の外側面に環状管５を配設し、該環状管５に、オゾン生成器２０で生成されたオゾンオゾン通路管を介して送り込み、内ドラム１内に注がれた水道水１１が、環状管５より小孔４を通って外ドラム３内面に入り込んだオゾンと混合することでオゾン水に変換されることを主旨とする。
【０００６】
また本発明は、回転する内ドラム１の外側に配置された外ドラム３側面又は上面に、オゾン生成器２０で生成されたオゾンを送り込むオゾン通路管３０を接続若しくは臨ませてオゾンを外ドラム３内に送り込み、ドラム内に注がれた水道水がオゾンと混合することでオゾン水に変換されることを技術手段とする。
【０００７】
【発明の実施の形態】
図面を参照して本発明を説明すると、図１（ａ）・（ｂ）は本発明における洗濯槽の一例を示したもので、１は側壁に無数の脱水穴２をあけた回転する内ドラムであり、従来存在する形式のものと何ら変わらない。３は内ドラム１の外側に配置された外ドラムであり、上方の蛇口１０から内ドラム１に入った水道水１１が脱水穴２を通ってこの外ドラム３にも侵入し同じ水位となる。外ドラム３の下端周面には小孔４が列穿されている。
【０００８】
５は外ドラム３の外側面に、小孔４を囲繞するように配設した環状管であり、この環状管５には、外ドラム３の外部に設けたオゾン生成器２０で生成されたオゾンがオゾン通路管３０を通って送り込まれ、送り込まれたオゾンが小孔４から外ドラム３内に放出される構成であり、そして外ドラム３内に入ったオゾンが水道水１１と混合することで水道水１１がオゾン水に変換されるという仕組みとなっている。
【０００９】
（ｃ）図は外ドラム３の側面に直接オゾン通路管３０を接続してオゾンを外ドラム３内に送り込む例であり、また（ｄ）図はオゾン通路管３０を外ドラム３の上面より臨ませてオゾンを外ドラム３内に送り込む例を示す。
【００１０】
図２は上記したオゾン生成器２０の概略を示したもので、（ａ）図においてエアー通路２１内の取入口２２より入ったエアー（矢指）が、活性炭入りフィルター処理部２３と、圧力扇２４を通ってオゾン生成室２５に送られ、こゝで生成されたオゾンが前記したオゾン通路管３０を通って環状管５に送られるものである。オゾン生成室２５は、電磁場エネルギー放電２７を発生するコーティングＰされた燒結金属電極２６・２６を有し、該燒結金属電極２６・２６は高周波高電圧発生器２８に連なり、且つ高周波高電圧発生器２８と、接続線２４ａを介して圧力扇２４が制制ボックス２９に夫々接続され、そして制御ボックス２９に作動スイッチＳが取り付けられる。
【００１１】
しかしてオゾン通路管３０には、環状管５の近傍に逆止弁３１を取り付けており、この逆止弁３１がオゾンの流れを制御する。（ｂ）及び（ｃ）図のように、逆止弁３１はオゾン通路管３０の内面いっぱいに間隔をおいて取り付けた複数の伸縮性素材からなるもので、オゾンが通らないときは通路管３０と直交して閉塞された状態にあり、オゾン通過時には矢指のように膨隆することで中央にあけた小穴３２が広がってオゾンが押し出される。
【００１２】
生成器２０で生成されたオゾンは、約２分程で分解して酸素に戻る性質がありこのため洗濯機運転時には、２分オゾンを生成したのち１分の中止間隔を置き、また２分生成するというように、２分、１分を周期的に行ってオゾンを効率的に水道水と混合する。生成室２５で生成されたオゾンを周期的にオゾン通路管３０に送り出すには圧力扇２４を制御すればよく、それゆえ作動スイッチＳを調整して制御ボックス２９からの信号が接続線２４ａを介して周期的に圧力扇２４が作動・停止を繰り返すべく設定することが好ましい。なお、オゾンは図示した装置以外にも、従来から知られているプラズマ共振型放電方式、紫外線励起法、無声放電法などで生成してもよい。
【００１３】
かくしてオゾン水となった洗濯水は遺憾なき殺菌力を発揮して洗濯槽の雑菌を除去する。ちなみにオゾンの四大効果として、
１．殺菌：細菌類やＯ−１５７を強力に殺菌
２．脱臭：臭いの元を分解し素早く脱臭
３：漂白：色素を酸化分解して脱色
４：鮮度保持：残留農薬などの分解除去
以上を挙げることができ、これらの特徴を敷衍すると以下のようになる。
▲１▼　菌、酵母、カビ、ウイルス等広範囲な効果がある。
▲２▼　瞬時に効果が期待できる。
▲３▼　酸素に変わるため残留したり臭いを残さない。
▲４▼　耐性をもった菌が生じにくい。つまりオゾンによる殺菌は、菌の細胞膜を破壊し、細胞内物質を漏出させることにより細胞を死滅させるので耐性菌を生じない。
▲５▼　オゾンは、空気中に浮遊している雑菌や悪臭を化学分解し、菌を死滅させ浄化する。
【００１４】
オゾン水殺菌効果の事例は多いが、参考までに２つの実験例を示す。
１．大腸菌、Ｏ−１５７、緑膿菌、黄色ブドウ球菌を培養し、オゾン水の除菌効果を実験した。実験内容は、手に菌を塗布した状態から反応時間にしたがって菌数の変化をみたもので、以下の表に示す結果が得られた。
【００１５】
【表１】
2004049826.tif 000003
２．以下の表は、キャリヤー（スライドグラス）試験の結果であり、オゾン洗浄後の大腸菌と黄色ブドウ球菌が著しく減退していることがわかる。
［試験方法］
▲１▼　キャリヤー（スライドグラス）に大腸菌、黄色ブドウ球菌を塗布して乾燥させる。
▲２▼　水量（９５０ｍｌ／分）の流水でオーバーフローさせる（１５秒間）。
▲３▼　各細菌数を測定する。
【００１６】
【表２】
2004049826.tif 000004
【００１７】
【発明の効果】
上記のようにオゾンにはすぐれた殺菌・除菌効果が有り、オゾン通路管を介して送り込まれたオゾンによって洗濯水イコールオゾン水となり、それゆえ内外のドラムにには雑菌の生ずる余地がなくカビも生えず、悪臭を発することもない。洗濯物は絶えず清潔に洗濯され、衣類に付着していた雑菌は消滅する。洗剤による雑菌の消滅度が４０％程度とした場合、オゾン水では１００％近くになる。また内外のドラムに雑菌等が付着しないだけでなく、オゾンの殺菌力によって洗濯後の排水管も清浄となるので環境改善にも裨益する。
【００１８】
水道水よりもはるかに酸素が多く、繊維内にも行きわたるため洗濯物がふんわりとした肌ざわりの良い仕上がりになるとともに、漂白効果もあるため見栄えの良い美麗な仕上がりとなる。
【００１９】
殺菌・除菌効果にすぐれるため化学洗剤を原因とする皮膚病、アトピー炎等の発症を未然に防止でき、副作用もないので衛生的で健康上も頗る好ましい。
【００２０】
洗濯機そのものを改良する必要がなく、既存の洗濯機にそのまゝ実施できるので経済的であり、装置に大きな場所をとらないですむ。
【００２１】
【図面の簡単な説明】
【図１】（ａ）は本発明における洗濯槽を示す一部切欠斜視図であり、（ｂ）は環状管の取付部位を示す断面図、（ｃ）はオゾン通路管を直接外ドラム側面に接続した断面図、（ｄ）はオゾン通路管を外ドラムの上面より内部に臨ませた断面図である。
【図２】（ａ）はオゾン発生器の説明図であり、（ｂ）は逆止弁が閉じた状態（ｃ）は逆止弁が開いた状態の説明図である。
【符号の説明】
１　　内ドラム
３　　外ドラム
４　　小孔
５　　環状管
１０　蛇口
１１　水道水
２０　オゾン生成器
３０　オゾン通路管
【図１】
2004049826.tif 000005
【図２】
2004049826.tif 000006